(57)【要約】【課題】小型トラック等のリヤゲートにガーニッシュを介して開閉ハンドルが設けられていても、ガーニッシュの剛性を高めて、ガーニッシュの破損を防止する。【解決手段】小型トラック等のリヤゲート３にガーニッシュ５が取り付けられ、ガーニッシュ５の下部にゲートハンドル６が組み込まれていると共に、ガーニッシュ５の上部に窓１０が形成され、窓１０に嵌め込まれたハイマウントストップランプ２０が、窓１０下方における後方端面１４の車両前方側で、ガーニッシュ５の植込みボルト１５及びナット２２により取り付けられている。【選択図】        図３
2004306889.tif 000002
【特許請求の範囲】
【請求項１】
ゲートパネルに取り付けられたガーニッシュと、上記ガーニッシュの下部に組み込まれ車両後方へ回動するゲートハンドルと、上記ガーニッシュの上部に配置されたストップランプとを有し、上記ゲートハンドルの上方に隣接して上記ガーニッシュに後方端面が形成され、上記後方端面の車両前方側に上記ストップランプが取り付けられた車両用リヤゲート。
【発明の詳細な説明】
【０００１】
【発明の属する技術分野】
本発明は、小型トラック等において、荷台の後方を開閉自在に囲むリヤゲート、とくに、後面に開閉ハンドルが設けられたリヤゲートに関する。
【０００２】
【従来の技術】
図１及び図５に例示されているように、小型トラック１において、荷台２の後方を囲む従来のリヤゲート３は、ゲートパネル４に樹脂製ガーニッシュ５が取り付けられ、ゲートハンドル６が支点７を中心として図５の２点鎖線の如く車両後方へ回動できるようにガーニッシュ５に組み込まれていて、ゲートハンドル６を後方へ回動させることにより、リヤゲート３を車両後方へ開くことができるように構成されている。
【０００３】
しかしながら、ゲートハンドル６を車両後方へ操作する場合には、操作者の親指をガーニッシュ５の上部端面８に押し付けた反動でゲートハンドル７を回動させることとなるため、上部端面８に作用する比較的大きな荷重によってガーニッシュ５が破損するおそれがあった。
【０００４】
なお、本発明に関連する適切な文献公知発明を特許出願時に特許出願人は知らないものである。
【０００５】
【発明が解決しようとする課題】
本発明は、小型トラック等のリヤゲートにガーニッシュを介して開閉ハンドルが設けられていても、ガーニッシュの剛性を高めることにより、ガーニッシュの破損を防止しようとするものである。
【０００６】
【課題を解決するための手段】
このため、本発明にかかる車両用リヤゲートは、ゲートパネルに取り付けられたガーニッシュと、上記ガーニッシュの下部に組み込まれ車両後方へ回動するゲートハンドルと、上記ガーニッシュの上部に配置されたストップランプとを有し、上記ゲートハンドルの上方に隣接して上記ガーニッシュに後方端面が形成され、上記後方端面の車両前方側に上記ストップランプが取り付けられている。
【０００７】
すなわち、リヤゲートのゲートパネルへ取り付けられた単一のガーニッシュにゲートハンドルとストップランプとが組み込まれているため、車両に対するゲートハンドル及びストップランプの組付け工数を容易に低減させることができ、また、ガーニッシュにおいては、そのゲートハンドル上方に隣接して形成された後方端面の車両前方側にストップランプが取り付けられているので、上記後方端面の厚みは必然的に大きくなって、その剛性が自動的に高められることとなり、従って、リヤゲートを開けるためゲートハンドルを車両後方へ回動させるとき、操作者の開放動作によってガーニッシュの後方端面に比較的大きな荷重が作用しても、その後方端面は上記荷重を十分に支持することができるようになる。
【０００８】
【発明の実施の形態】
以下、図面に示す本発明の実施形態例について、前記従来装置との同等部分にはそれぞれ同一符号を付けて説明する。
【０００９】
図１〜図４において、小型トラック１の荷台２後方にリヤゲート３が設けられ、リヤゲート３のゲートパネル４に対して車両後方から樹脂製ガーニッシュ５が取り付けられている。
【００１０】
ガーニッシュ５の下部には、ゲートハンドル６が支点７を中心として図３の２点鎖線で示すように車両後方へ回動できるように組み込まれていて、ゲートハンドル６を後方へ回動させることにより、リヤゲート３を後方へ開くことができるように構成されている。
【００１１】
また、ガーニッシュ５の上部には横長の窓１０が設けられて、窓１０の周囲にリブ１１が形成されている一方、ガーニッシュ５の上記下部及び窓１０両側方の車両前方側にそれぞれ植込みボルト１２、１３が設けられていると共に、窓１０下方の車両前方側、すなわち、ガーニッシュ５における上記下部の上方に隣接してガーニッシュ５に形成された後方端面１４の車両前方側に植込みボルト１５が設けられ、さらに、ガーニッシュ５下部における車両前方側の両側方にそれぞれクリップ１６が一体成形されている。
【００１２】
従って、車両前方側から窓１０内へハイマウントストップランプ２０を嵌め込み、ストップランプ２０の下方ボルト孔２１に植込みボルト１５を挿通させてナット２２を締め付けることにより、ストップランプ２０をガーニッシュ５に取り付けることができ、その後、ガーニッシュ５下部のクリップ１６をゲートパネル４の取付け孔３０へ押し込むと共に、ガーニッシュ５の植込みボルト１２をストップランプ２０の側方ボルト孔２３及びゲートパネル４のボルト孔３１に順次挿通させてナット３２を締め付け、かつ、ガーニッシュ５の植込みボルト１３をゲートパネル４のボルト孔３３に挿通させてナット３４を締め付けることにより、ガーニッシュ５をゲートパネル４に取り付けることができる。
なお、植込みボルト１５を植込みナットに代え、下方ボルト孔２１を挿通するボルトをその植込みナットにねじ込んで締め付けるようにしてもよいものである。
【００１３】
この場合、単一のガーニッシュ５にゲートハンドル６とストップランプ２０とが組み込まれているため、車両に対するゲートハンドル６及びストップランプ２０の組付け工数を容易に低減させることができて、全体的に車両のコスト軽減を図ることが可能となる。
【００１４】
また、ガーニッシュ５における後方端面１４の車両前方側にストップランプ２０取付け用の植込みボルト１５が設けられていて、後方端面１４の厚みが必然的に大きくなるため、その剛性が自動的に高められることとなり、また、ガーニッシュ５における窓１０周囲のリブ１１によっても後方端面１４付近の剛性が付随的に高められている。
【００１５】
従って、リヤゲート３を開けるためゲートハンドル６を車両後方へ回動させるとき、操作者の親指をガーニッシュ５の後方端面１４に押し付けた反動でゲートハンドル６を回動させることとなって、後方端面１４に比較的大きな荷重が作用しても、その後方端面１４は上記荷重を十分に支持することができるので、ガーニッシュ５の破損を確実に防止することが可能となる。
【００１６】
【発明の効果】
本発明にかかる車両用リヤゲートにおいては、リヤゲートのゲートパネルへ取り付けられたガーニッシュにゲートハンドルとストップランプとが組み込まれていて、車両に対するゲートハンドル及びストップランプの組付け工数を容易に低減させることができるので、車両のコスト軽減を図ることが可能となり、また、ガーニッシュのゲートハンドル上方に隣接して形成された後方端面の剛性が高められて、リヤゲートを開ける操作者の動作により上記後方端面に比較的大きな荷重が作用しても、その後方端面は上記荷重を十分に支持して、ガーニッシュの破損を確実に防止することが可能となる。
【図面の簡単な説明】
【図１】本発明の実施形態例における概略配置図。
【図２】上記実施形態例の要部拡大斜視図。
【図３】図２の  ＩＩＩ−ＩＩＩ  縦断面拡大図。
【図４】上記実施形態例の要部分解斜視図。
【図５】従来装置の要部縦断面図。
【符号の説明】
１  小型トラック
３  リヤゲート
４  ゲートパネル
５  ガーニッシュ
６  ゲートハンドル
１０  窓
１４  後方端面
１５  植込みボルト
２０  ストップランプ
２２  ナット
【図１】
2004306889.tif 000003
【図２】
2004306889.tif 000004
【図３】
2004306889.tif 000005
【図４】
2004306889.tif 000006
【図５】
2004306889.tif 000007